(57)【要約】【課題】従来技術に見られる材料浪費、コスト高、騒音発生および低放熱効果などの問題をなくした電子装置用放熱ファンモジュールを提供する。【解決手段】第１の放熱ファンモジュールは、縁部に沿ってガイド部材を具えた開口部を有するケースとケースの一側に固定されかつ対応して開口部上に配置された放熱ファンとを有してなる。第２の放熱ファンモジュールは、開口部を具えたケースと、開口部の縁部に取外し可能に配置されたガイド部材と、ケースの一側に配置されて開口部に対応して配置された放熱ファンとを有してなる。第３の放熱ファンモジュールは開口部を具えたケースを有しており、ガイド部材が開口部の縁部の周りに取外し可能に配置されている。放熱ファンはケースの一側に配置されるとともに対応して開口部上にも配置されている。【選択図】図２Ａ
2004336009.tif 000002
【特許請求の範囲】
【請求項１】
縁部に沿ってガイド部材を具えた開口部を有するケースと、ケースの一側に固定されかつ対応して開口部上に配置された放熱ファンとを有してなる電子装置用放熱ファンモジュール。
【請求項２】
ガイド部材が金属材料からなりかつ開口部の縁部上に配置され、かつ縁部から延在するとともに開口部の軸に向けて傾斜していることを特徴とする請求項１に記載の放熱ファンモジュール。
【請求項３】
ケースとガイド部材とが特定の角度をなして配置されており、該角度が実質的に５〜９０度であることを特徴とする請求項１に記載の放熱ファンモジュール。
【請求項４】
放熱ファンがフレームなしのファンであることを特徴とする請求項１に記載の放熱ファンモジュール。
【請求項５】
ケースが一体に形成された網状部を有しており、該網状部が開口部の対応する位置に配置されていることを特徴とする請求項１に記載の放熱ファンモジュール。
【請求項６】
さらに網状板が設けられており、該網状板がケースの一側に取外し可能に固定されて開口部を覆っていることを特徴とする請求項１に記載の放熱ファンモジュール。
【請求項７】
電子装置が電源であることを特徴とする請求項１に記載の放熱ファンモジュール。
【請求項８】
開口部を具えたケースと、開口部の縁部に取外し可能に配置されたガイド部材と、ケースの一側に配置されて開口部に対応して配置された放熱ファンとを有してなることを特徴とする電子装置用放熱ファンモジュール。
【請求項９】
ケースが一体に形成されてかつ開口部の対応する位置に配置された網状部を有していることを特徴とする請求項８に記載の放熱ファンモジュール。
【請求項１０】
さらに網状板が設けられていて、該網状板がケースの一側に取外し可能に固定されて開口部を覆っていることを特徴とする請求項８に記載の放熱ファンモジュール。
【請求項１１】
網状板が金属材料、紙材料、プラスチック材料からなる群から選ばれたひとつから形成されていることを特徴とする請求項１０に記載の放熱ファンモジュール。
【請求項１２】
ガイド部材が網状板から分離されていることを特徴とする請求項１０に記載の放熱ファンモジュール。
【請求項１３】
ガイド部材が網状板と一体に形成されていることを特徴とする請求項１０に記載の放熱ファンモジュール。
【請求項１４】
ケースとガイド部材とが特定の角度をなして配置されていることを特徴とする請求項８に記載の放熱ファンモジュール。
【請求項１５】
特定の角度が実質的に５〜９０度であることを特徴とする請求項１４に記載の放熱ファンモジュール。
【請求項１６】
放熱ファンがフレームなしのファンであることを特徴とする請求項８に記載の放熱ファンモジュール。
【請求項１７】
電子装置が電源であることを特徴とする請求項８に記載の放熱ファンモジュール。
【発明の詳細な説明】
【技術分野】
【０００１】
この発明は放熱ファンモジュールに関するものであり、特に、電子装置用の放熱ファンモジュールに関するものである。
【背景技術】
【０００２】
電源は種々の電子装置または情報製品にとって必須の装置である。周知のように、多くの電子ユニットが電源には含まれており、電源の作動時には熱を発生して電源の内部温度の上昇を招くものである。一般に電源には１個以上の放熱ファンが配置されており、ケース外に内部の熱空気を急速に放熱したり、ケース内に冷えた外気を導入して電源を冷却する。
【０００３】
かくしてケース内の温度は減少して電子ユニットの損傷を防止し、高温による寿命の減少を防止する。加えて例えば電子装置のＣＰＵまたは情報製品などのコア電子要素の放熱は放熱ファンと放熱孔との設計により達成される。かくして全システムの温度を減少できる。
【０００４】
図１Ａに電源用の従来の放熱ファンモジュールの一例を示す。図示のように該モジュールは網状部１３を具えたケース１１と放熱ファン１２とを有している。網状部１３はケース１１を打抜きしてケース１１の金属材料を部分的に除去することにより形成される。
【０００５】
放熱ファン１２はケース１１の一側にネジ１４で固定され、かつケース１１の網状部１３上にも対応固定される。放熱ファン１２はさらにフレーム１２１、ガイド部材１２２および複数のブレード１２３を有している。ガイド部材１２２はフレーム１２１と複数のブレード１２３との間に配置されており、気流を導き放熱ファン１２の気流速度を増加させて、放熱効果を向上させる。
【０００６】
放熱ファン１２が作動しているときは、熱風を網状部１３または放熱孔（図示せず）外に引き出すことにより電源に蓄積された熱がケース１１外に放熱されるか、または外部の冷気を導入して電源を冷却し放熱孔を経て熱気を放熱させる。
【発明の開示】
【発明が解決しようとする課題】
【０００７】
ケース１１の網状部１３はケース１１を打抜きして金属材料を部分的に除去することにより形成されるので、除去された金属材料は再使用できないので材料の浪費となってしまう。加えて従来の放熱ファンのフレーム１２１とガイド部材１２２は複雑でコスト高となる。
【０００８】
さらに放熱ファン１２の動作によりフレーム１２１の故に騒音が発生する。図１Ｂに示すのは騒音問題を解決した従来の放熱ファンモジュールの他の例である。放熱ファン１５にはフレームがなくてガイド部材を使って図１Ａの放熱ファン１２の代りとしている。しかしこの設計のものでは放熱効果を向上させることができない。
【０００９】
したがってこの発明の目的は、従来技術に見られる上記したような材料浪費、コスト高、騒音発生および低放熱効果などの問題をなくした電子装置用放熱ファンモジュールを提供することにある。
【課題を解決するための手段】
【００１０】
この発明の第１の放熱ファンモジュールは、縁部に沿ってガイド部材を具えた開口部を有するケースとケースの一側に固定されかつ対応して開口部上に配置された放熱ファンとを有してなることを要旨とするものである。
【００１１】
この発明の第２の放熱ファンモジュールは、開口部を具えたケースと、開口部の縁部に取外し可能に配置されたガイド部材と、ケースの一側に配置されて開口部に対応して配置された放熱ファンとを有してなることを要旨とするものである。
【００１２】
ガイド部材は開口部の縁部上に配置された金属材料であるのが望ましい。ガイド部材は開口部の縁部から延在してかつ開口部の軸に向けて傾斜しているのがより望ましい。
【００１３】
ケースとガイド部材とは特定の角度をなすように配置するのが望ましく、該角度としては５〜９０度とするのがより望ましい。
【００１４】
一実施例にあっては、放熱ファンはフレームなしである。
【００１５】
一実施例にあっては、ケースがさらに一体形成された網状部を有しており、該網状部は開口部の対応する位置に配置されている。
【００１６】
一実施例においては、網状板が用いられていて、ケースの一側に取外し可能に固定されて開口部を覆っている。
【００１７】
例えば電子装置が電源であってもよい。
【００１８】
この発明の第３の放熱ファンモジュールは開口部を具えたケースを有しており、ガイド部材が開口部の縁部の周りに取外し可能に配置されている。放熱ファンはケースの一側に配置されるとともに対応して開口部上にも配置されている。
【００１９】
ケースはさらに一体構造の網状部を有しているのが望ましく、該網状部は開口部の対応する位置に配置されている。
【００２０】
さらに放熱ファンモジュールは網状板を有していて、該網状板はケースの一側に取外し可能に固定されて開口部を覆っているのが望ましい。例えば網状板は金属材料、紙材料またはプラスチック材料から形成される。一実施例にあっては、ガイド部材は網状板から分離されている。他の実施例にあっては、ガイド部材は網状板と一体に形成されている。
【発明の効果】
【００２１】
この発明の放熱ファンモジュールによれば材料の節減、コストの低減および放熱効果の向上が達成される。加えてフレームなしの放熱ファンは作動中の騒音を低減することができる。
【発明を実施するための最良の形態】
【００２２】
図２Ａにこの発明の放熱ファンモジュールの一実施例を示す。該モジュールはケース２１と放熱ファン２２とを有している。ケース２１は開口部２３と開口部２３の縁部に沿って延在するガイド部材２４とを有している。放熱ファン２２はケース２１の一側に固定されると共に対応して開口部２３にも固定されている。ガイド部材２４は気流を導いて放熱ファンの作動時における放熱効果を高めている。
【００２３】
この実施例では、ケース２１がさらに一体に形成された網状部２５を有しており、該網状部は開口部２３内に配置されている。網状部２５は放熱ファン２２の固定のために使われ、かつ使用者が放熱ファン２２に触れてその動作中に危険が生じるのを防止している。開口部２３と網状部２５とはケース２１を打抜きしてケース２１の金属材料を一部除去することにより形成される。
【００２４】
ガイド部材２４は金属材料から形成され、開口部２３の縁部上に配置されて該縁部から特定の角度で延在するか、または軸方向に傾斜している。図２Ａに示すように該軸は開口部２３の軸２１１と平行である。ガイド部材２４とケース２１との間の特定の角度は放熱要求により決まってくるが、好ましくは５〜９０度の範囲にある。
【００２５】
加えて図示の複数のブレード２２１を具えた放熱ファン２２はフレームなしのファンである。ネジを使う他にも係合または粘着により放熱ファン２２をケース２１の一側に固定することもできる。放熱ファン２２は網状部２５ひいては開口部２３の中央に配置されている。したがって放熱ファン２２が動作しているときには、ガイド部材２４は気流を導きかつ増加して放熱効果を高め、ケース２１中の電子装置により発生された熱を急速に放熱させるのである。
【００２６】
コスト低減の理由から、ガイド部材２４は金属材料から形成されて開口部２３の縁部に配置されている。この縁部の金属材料は最初は除去されるように設計されているが、特定の角度で軸２１１に沿って金属材料を屈曲させることによりガイド部材２４を形成している。かくして最初に除去された金属材料がガイド部材２４となる。これでコストが低減されるのである。加えてフレームなしの放熱ファン２２は動作中に発生される騒音のみならずコストも効果的に低減するのである。
【００２７】
図２Ｂに他の実施例を示す。構造はほとんど図２Ａのものと同じであるが、網状部がケース２１から分離されて網状板２６を形成している点が異なる。図示のように網状板２６はネジによりケース２１の一側に固定されて開口部２３を覆っている。加えて網状板２６はまた係合または粘着によりケース２１に固定することもできる。
【００２８】
図３Ａにさらに他の実施例を示す。この放熱ファンモジュールはケース３１と放熱ファン３２とガイド部材３３を具えたフレーム３０を有している。図示のようにケース３１は網状部３５を有しており、放熱ファン３２は網状部３５の中央に固定されている。網状部３５はケース３１と一体に形成されている。フレーム３０は開口部３４を有しており、ガイド部材３３は開口部３４の縁部に沿って配置されている。フレーム３０がケース３１に固定されると、フレーム３０の開口部３４はケース３１の対応する網状部３５にも配置される。
【００２９】
フレーム３０はネジや係合や粘着によりケース３１に固定される。ガイド部材３３は金属材料、紙材料、プラスチック材料などで形成される。放熱効果の要求に応じてガイド部材３３とフレーム３０との間の角度は５〜９０度に調整される。加えて図示のように放熱ファン３２はフレームなしのファンである。
【００３０】
図３Ｂに示すさらなる実施例の構造は図３Ａのものとほぼ同じであるが、網状部がケース３１から分離されて網状板３６を形成している点が異なる。図示のようにケース３１は開口部３８を有しており、網状板３６はケース３１の一側にネジにより固定されて開口部３８を覆っている。加えて網状板３６はまた係合または粘着によってもケース３１に固定できる。
【００３１】
図３Ｃに示す実施例の放熱ファンモジュールはケース３１、網状板３７、ガイド部材３３および放熱ファン３２を有している。ケース３１はその一側に開口部３８を有している。図示のように網状板３７はガイド部材３３と一体に形成されている。つまりガイド部材３３は網状部の外縁部に沿って配置されている。
【００３２】
放熱ファン３２は網状板３７に固定されており、網状板３７はケース３１に固定されて開口部３８を覆っている。網状板３７と放熱ファン３２とはネジ、係合、粘着により固定できる。加えてガイド部材３３の形状は中空半コーン状または中空円柱状（図示せず）にしてケースの内外間の気流を円滑に増加させることもできる。
【００３３】
図４に示すのはこの発明（図２Ａ）と従来技術（図１Ｂ）との静圧対気流（ＰＱ）の特性曲線の比較である。図中破線で示すのは従来技術の放熱ファンのＰＱ特性曲線であり、実線で示すのはこの発明の放熱ファンの特性曲線である。放熱ファンの放熱効果は気流（ｃｆｍ）、静圧（ｍｍ−Ｈ2Ｏ）および電気的ベアリングにより左右される。静圧と電気的ベアリングが同じなら、気流が大きいほど冷気の熱吸収が大きい。つまり気流によりより多くの熱が運ばれ、放熱効果がより顕著となる。図からしてこの発明の放熱ファンの気流は２３ｃｆｍであり、これに比べて従来技術の放熱ファンのそれは１３ｃｆｍである。つまりこの発明の放熱ファンの最大気流挙動は従来技術に比べて７７％増加する。
【図面の簡単な説明】
【００３４】
【図１Ａ】従来の放熱ファンモジュールの一例を示す斜視図である。
【図１Ｂ】従来の放熱ファンモジュールの他の例を示す斜視図である。
【図２Ａ】この発明の放熱ファンモジュールの一実施例を示す斜視図である。
【図２Ｂ】この発明の放熱ファンモジュールの他の実施例を示す斜視図である。
【図３Ａ】この発明の放熱ファンモジュールの他の実施例を示す斜視図である。
【図３Ｂ】この発明の放熱ファンモジュールの他の実施例を示す斜視図である。
【図３Ｃ】この発明の放熱ファンモジュールの他の実施例を示す斜視図である。
【図４】この発明（図２Ａ）と従来技術（図１Ｂ）の放熱ファンモジュールにおける静圧対気流の特性曲線の比較を示すグラフである。
【符号の説明】
【００３５】
１１、２１、３１：ケース
１２、２２、３２：放熱ファン
２４、３３：ガイド部材
【図１Ａ】
2004336009.tif 000003
【図１Ｂ】
2004336009.tif 000004
【図２Ａ】
2004336009.tif 000005
【図２Ｂ】
2004336009.tif 000006
【図３Ａ】
2004336009.tif 000007
【図３Ｂ】
2004336009.tif 000008
【図３Ｃ】
2004336009.tif 000009
【図４】
2004336009.tif 000010